(57)【要約】【課題】  小モジュールであってもツルーイング研削容易なドレッシングギア、及び、該ドレッシングギアを用いたドレス方法を提供する。【解決手段】  歯の表面にダイヤモンド粒子或いはＣＢＮ粒子がコーティングされているドレッシングギアであって、総歯数が偶数であって総歯数の半数の歯を１歯飛びの欠け歯構造とされ、ダイヤモンドホイールによりツルーイング研削されていることを特徴とするドレッシングギアを提供する。該前記ドレッシングギアを歯車状砥石と噛み合わせた状態で、工具スピンドルとワークスピンドルとを電気的な位置制御により係合連行させる同期システムを利用することにより、歯車状砥石の全ての歯をドレスする。【選択図】  図２
2010142883.tif 000002
【特許請求の範囲】
【請求項１】
歯の表面にダイヤモンド粒子或いはＣＢＮ粒子がコーティングされているドレッシングギアであって、総歯数が偶数であって総歯数の半数の歯を１歯飛びの欠け歯構造とされ、ダイヤモンドホイールによりツルーイング研削されていることを特徴とするドレッシングギア。
【請求項２】
モジュールが１．２５未満であることを特徴とする請求項１に記載のドレッシングギア。
【請求項３】
前記ドレッシングギアの総歯数がワークの歯数の２倍〜３倍であることを特徴とする請求項１又は２に記載のドレッシングギア。
【請求項４】
歯車状砥石をドレッシングギアによってドレスする方法であって、
前記ドレッシングギアとして、歯の表面にダイヤモンド粒子或いはＣＢＮ粒子がコーティングされているドレッシングギアであって、総歯数が偶数であって総歯数の半数の歯を１歯飛びの欠け歯構造とされ、ダイヤモンドホイールによりツルーイング研削されたドレッシングギアを用い、
前記歯車状砥石として、歯車をホーニングするためのインターナル砥石又はエクスターナル砥石であって歯数が奇数の歯車状砥石を用い、
前記歯車状砥石と前記ドレッシングギアとを噛み合わせた状態で工具スピンドルとワークスピンドルとを電気的な位置制御により係合連行させる同期システムを利用することにより、歯車状砥石の全ての歯をドレスすることを特徴とする歯車状砥石のドレス方法。
【請求項５】
前記歯車状砥石の歯数が、前記ドレッシングギアの総歯数で割り切れない数であることを特徴とする請求項４に記載のドレス方法。
【請求項６】
前記歯車状砥石の回転角度位置を検出器で検出し、その検出した回転角度位置検出値に基づいて、前記歯車状砥石と前記ドレッシングギアとを同期させることを特徴とする請求項４又は５に記載のドレス方法。
【請求項７】
歯車状砥石をドレッシングギアによってドレスする方法であって、
前記ドレッシングギアとして、歯の表面にダイヤモンド粒子或いはＣＢＮ粒子がコーティングされているドレッシングギアであって、総歯数が偶数であって総歯数の半数の歯を１歯飛びの欠け歯構造とされ、ダイヤモンドホイールによりツルーイング研削されたドレッシングギアを用い、
前記歯車状砥石として、歯車を研削するためのウォーム状砥石を用い、
前記歯車状砥石と前記ドレッシングギアとを噛み合わせた状態で工具スピンドルとワークスピンドルとを電気的な位置制御により係合連行させつつ前記工具スピンドルをトラバースさせる同期システムを利用することにより、歯車状砥石の全ての歯をドレスすることを特徴とする歯車状砥石のドレス方法。
【請求項８】
前記ウォーム状砥石の条数が奇数であることを特徴とする請求項７に記載のドレス方法。
【請求項９】
前記ウォーム状砥石の条数が、前記ドレッシングギアの総歯数で割り切れない数であることを特徴とする請求項７又は８に記載のドレス方法。
【発明の詳細な説明】
【技術分野】
【０００１】
本発明は、歯車のホーニングや研削に使用する歯車状砥石をドレッシングギアによってドレスする方法およびドレッシングギアに関し、特に比較的小モジュールの歯車状砥石をドレッシングするのに適したドレス方法およびドレッシングギアに関する。ここで、歯車とは、平歯車、ハスバ歯車を言い、外歯車、内歯車を含む。
【背景技術】
【０００２】
従来、平歯車やハスバ（斜歯）歯車をホーニングするために、インターナル砥石やエクスターナル砥石が使用される。インターナル砥石は、円環状をしていて、ホーニングすべき歯車に噛み合い得る歯が内周面に形成されている。エクスターナル砥石は、一般に同じく円環状をしていて、ホーニングすべき歯車に噛み合い得る歯が外周面に形成されている。また、歯車の研削においても研削砥石が使用され、ウォームギア形状をした砥石が使用される。
【０００３】
これらの砥石は、表面にダイヤモンド粒子或いはＣＢＮ粒子がコーティングされたドレッシングギアによってドレスされる（例えば、特許文献１，２）。ドレッシングギアは、一般に、ホーニング或いは研削されるべき歯車と同寸法のモジュールが用いられる。そのため、ホーニング或いは研削されるべき歯車の歯が小モジュールであれば、その小モジュールに対応してドレッシングギアの歯も小モジュールとなる。
【０００４】
従来、ドレッシングギアはその表面に上記粒子がコーティングされたままの状態では面粗さが不均一で形状やピッチ精度も悪いので良好な加工精度を得ることができない。故に刃面にツルーイング研削を施した上で使用される。ツルーイング研削は、図１０に示すように、コーティング後のドレッシングギアＤの刃面に対し、円板状をしたダイヤモンドホイールＷを用いる。ドレッシングギアをツルーイング研削することによって、その面粗さや形状、ピッチ精度が整えられ使用される。
【特許文献１】特開平６−３２０４２０号公報
【特許文献２】特開平６−２０６１６３号公報
【発明の開示】
【発明が解決しようとする課題】
【０００５】
しかしながら、ドレッシングギアのモジュールが小さくなると、すなわち、ドレッシングギアの歯のピッチが狭くなると、ダイヤモンドホイールが隣の歯に干渉してツルーイング研削ができない場合が生じる。すなわち、ダイヤモンドホイールは、厚みを０．５ｍｍ未満にすると、製作上の理由から精度が落ちるとともに、ツルーイング研削に必要な強度が不足する。そのため、モジュールが１．２５未満の小ピッチのドレッシングギアを経済的に製作することが困難であった。その結果として、モジュールが１．２５未満の歯車（ワーク）をホーニングするための歯車状砥石や、モジュールが１．２５未満の歯車（ワーク）を研削するためのウォーム状砥石を、ドレスすることが困難であった。
【課題を解決するための手段】
【０００６】
上記問題を解決するため、本発明は、歯の表面にダイヤモンド粒子或いはＣＢＮ粒子がコーティングされているドレッシングギアであって、総歯数が偶数であって総歯数の半数の歯を１歯飛びの欠け歯構造とされ、ダイヤモンドホイールによりツルーイング研削されていることを特徴とするドレッシングギアを提供する。
【０００７】
ドレッシングギアの歯数は小モジュール・小歯数のワークの場合、該ワークと同一歯数するとドレスの転写性が悪い、ドレッシングギアの寿命が短いという不具合が生じるので、ドレッシングギアの歯数をワークの歯数よりも２倍〜３倍に増やすように設定する。このときにドレッシングギアの総歯数を偶数として１歯飛びの欠け歯構造を成立させている。
【０００８】
また、本発明は、歯車状砥石をドレッシングギアによってドレスする方法であって、前記ドレッシングギアとして、歯の表面にダイヤモンド粒子或いはＣＢＮ粒子がコーティングされているドレッシングギアであって、総歯数が偶数であって総歯数の半数の歯を１歯飛びの欠け歯構造とされ、ダイヤモンドホイールによりツルーイング研削されたドレッシングギアを用い、前記歯車状砥石として、歯車をホーニングするためのインターナル砥石又はエクスターナル砥石であって歯数が奇数の歯車状砥石を用い、前記歯車状砥石と前記ドレッシングギアとを噛み合わせた状態で工具スピンドルとワークスピンドルとを電気的な位置制御により係合連行させる同期システムを利用することにより、歯車状砥石の全ての歯をドレスすることを特徴とする歯車状砥石のドレス方法を提供する。
【０００９】
さらに、本発明は、歯車状砥石をドレッシングギアによってドレスする方法であって、前記ドレッシングギアとして、歯の表面にダイヤモンド粒子或いはＣＢＮ粒子がコーティングされているドレッシングギアであって、総歯数が偶数であって総歯数の半数の歯を１歯飛びの欠け歯構造とされ、ダイヤモンドホイールによりツルーイング研削されたドレッシングギアを用い、前記歯車状砥石として、歯車を研削するためのウォーム状砥石を用い、前記歯車状砥石と前記ドレッシングギアとを噛み合わせた状態で工具スピンドルとワークスピンドルとを電気的な位置制御により係合連行させつつ前記工具スピンドルをトラバースさせる同期システムを利用することにより、歯車状砥石の全ての歯をドレスすることを特徴とする歯車状砥石のドレス方法を提供する。
【００１０】
前記ウォーム状砥石の条数は奇数であること好ましい。また、前記ウォーム状砥石の条数は、前記ドレッシングギアの総歯数で割り切れない数であることが好ましい。
【００１１】
前記歯車状砥石は、ビトリファイド砥石やレジノイド砥石等の一般砥石、金属製基材の歯面に硬質粒子がコーティングされた砥石（例えば、ＣＢＮ電着砥石）を含む。
【００１２】
なお、本件明細書及び特許請求の範囲において、欠け歯構造のドレッシングギアに関し「総歯数」とは、欠けた歯の数を含む歯数を意味するものとして用いている。
【発明の効果】
【００１３】
ドレッシングギアを一歯飛びの欠け歯構造とすることにより、歯の溝幅が広がるため、例えば、０．５ｍｍ厚のダイヤモンドホイールを用いてモジュールが０．２０程度の微小モジュールのドレッシングギアをツルーイング研削することが可能となる。
【００１４】
ドレッシングギアの歯が一つおきに除去された欠け歯構造である場合、ドレッシングギアと歯車状砥石のいずれか片方を駆動し、他方を従動させる、いわゆる連れ回りの方法では、砥石とドレッシングギアの噛合率が少なくなることにより案内性が悪くなる上、従動側の回転トルクが駆動ギアの歯面に余分に負荷としてかかるため、正確にドレッシングギアの歯面形状を砥石に転写することが出来ず、ドレス精度が劣る。
【００１５】
そこで、工具スピンドルとワークスピンドルとを電気的な位置制御により係合連行させる同期システムを利用して、欠け歯構造のドレッシングギアを支持するワークスピンドルと歯車状砥石を支持する工具スピンドルとを高精度で同期駆動させることにより、正確にドレッシングギアの歯面形状を砥石に転写することが可能となる。
【００１６】
ところで、ドレッシングギアで歯車状砥石をドレスする場合、歯車状砥石のより高い精度を得るために、歯車状砥石の全ての歯面が、ドレッシングギアのより多くの歯により均一にドレスされることが望まれる。
【００１７】
しかしながら、例えば、ホーニング用の歯車状砥石について、歯車状砥石と欠け歯構造のドレッシングギアとを噛み合わせた状態で同期駆動した場合に、特定の複数の歯がドレスされない場合が生じる。
【００１８】
例えば、図８に示すように、総歯数が２４個（除去されている歯Ｄ２、Ｄ４、Ｄ６…を含む。）のドレッシングギア１０を用い、歯数が６０個の歯車状砥石１１をドレスする場合、ドレッシングギア１０の歯（Ｄ１，Ｄ３，Ｄ５…）と歯車状砥石１１の歯溝（Ｗ１，Ｗ２，Ｗ３，Ｗ４…）との関係を示す図９の表から分かるように、一定の複数の歯溝Ｗ２，Ｗ４，Ｗ６…にドレッシングギアの歯が噛み合っていない。なお、一般に歯数と歯溝の数は同じである。したがって、歯車状砥石１１は、歯溝Ｗ２，Ｗ４，Ｗ６…面する歯面がドレスされていない。このような場合には、一度、同期駆動を停止させ、噛み合い状態を一端解除し、歯を一つだけずらして再度噛み合わせてから同期駆動する噛合位置変え作業を行うことにより、ドレスされてない歯面をドレスすることが考えられるが、ドレス工数の増大とドレス精度の劣化の問題を生じる。
【００１９】
そこで、前記ドレッシングギアとして、総歯数が偶数であって総歯数の半数の歯を１歯飛びの欠け歯構造とされ、ダイヤモンドホイールによりツルーイング研削されたドレッシングギアを用い、前記歯車状砥石として、歯車をホーニングするためのインターナル砥石又はエクスターナル砥石であって歯数が奇数の歯車状砥石を用いれば、歯車状砥石の砥石１回転につき１歯のズレが生じるため、歯車状砥石の全歯を連続的にドレスすることができる。
【００２０】
さらに、歯車状砥石の歯数を、ドレッシングギアの歯数で割り切れない数とすることにより、歯車状砥石の歯とドレッシングギアの歯の噛合いが永久にずれていくため、砥石の歯面を均一にドレスすることができる。
【００２１】
また、小歯数のドレッシングギアを用いた場合には、ドレッシングギアの工具寿命が短く、ドレスの転写性が悪いという問題が生じるが、当該問題は、ワークの歯数よりも総歯数が多いドレッシングギアを用いることにより解消し得る。但し、１歯飛びの欠け歯構造のドレッシングギアを用いる問題点としては、ドレス工数の増大があるがワークの生産能力の観点からみて大きな問題とならない。
【００２２】
また、歯車研削に用いるウォーム状砥石を上記欠け歯構造のドレッシングギアでドレスする場合においても、ウォーム状砥石の歯の条数が偶数であると、ドレスされない歯面を生じる。このような場合、先ず一条目をドレスした後、ウォーム状砥石とドレッシングギアの噛合いを外してから位相をシフトし、２条目のドレスサイクルを実施することにより、全歯面を研削することが可能である。この場合、工具スピンドルとワークスピンドルとを電気的な位置制御により係合連行させつつ、工具スピンドルをトラバースさせる同期システムを利用し、プログラムすることにより、工具スピンドル及びワークスピンドルの其々の回転を停止させることなく、１条目と２条目のドレスを連続したサイクルで実行することができる。
【００２３】
ウォーム状砥石として条数が奇数のウォーム状砥石を用い、同期駆動によりトラバースさせることで、全条数の歯を連続的にドレスすることができる。
【００２４】
さらに、ウォーム状砥石として、その条数がドレッシングギアの総歯数によって割り切れない数のウォーム状砥石を用いることにより、均質なドレスが可能となる。
【発明を実施するための最良の形態】
【００２５】
本発明に係る歯車状砥石のドレス方法についての好適な実施形態を、以下に図面を参照して説明する。
【００２６】
図１は、ギアホーニングマシンを示す一部断面側面図である。ギアホーニングマシンは、本来は、ワークである歯車を歯車状砥石（インターナル砥石又はエクスターナル砥石）でホーニングするための装置であるが、ワークをドレッシングギアに代えることで歯車状砥石のドレスにも使用できる。
【００２７】
ギアホーニングマシン１は、機台２上に設置されたワークスピンドル駆動モータ３、心押台４、インターナル砥石５の外周を固定する工具スピンドル６、工具スピンドル６をギア（不図示）を介して回転駆動する工具スピンドル駆動モータ７を備えている。
【００２８】
また、工具スピンドル６の回転角度位置を検出する検出器８が設けられている。図示例の検出器は、円環状の磁気メモリ付スケール８を、磁気エンコーダ８ｂで読み取る形式を採用している。
【００２９】
検出器８で検出された工具スピンドル６の回転角度位置検出値は、ＮＣ制御装置９に送られ、ワークスピンドル駆動モータ３のロータリーエンコーダー３ａからの信号と比較され、ＮＣ制御装置９によって、工具スピンドルとワークスピンドルとを電気的な位置制御により同期させて係合連行させる。
【００３０】
ワークスピンドル駆動モータ３のワークスピンドル３ｂと心押台４のテールストック４ａとに、ドレッシングギア１０が挟持される。ホーニング用のインターナル砥石５とドレッシングギア１０とを噛み合わせ、両者を同期駆動することにより、インターナル砥石５の歯がドレスされる。
【００３１】
ドレッシングギア１０は、総歯数が偶数であって総歯数の半数の歯を１歯飛びの欠け歯構造としたドレッシングギアを用いる（図２参照）。このようなドレッシングギア１０は、歯が欠けている分、隣り合う歯と歯の間の隙間が大きくなるので、例えば、０．５ｍｍ厚のダイヤモンドホイールＷを用いてモジュールが０．２０程度の微小モジュールのドレッシングギアをツルーイング研削することが可能となる。
【００３２】
さらに、ドレッシングギア１０は、ホーニングされるべきワークと、モジュール、ピッチ、歯形は同じであるが、ワークの歯数の２〜３倍の歯数のものを用いることが好ましい。それにより、ドレッシングギアの寿命の延長とドレスの転写性の改善を図ることができる。
【００３３】
総歯数が偶数であって総歯数の半数の歯を１歯飛びの欠け歯構造としたドレッシングギア１０を用い、歯車状砥石として、歯数が奇数のインターナル砥石５を用い、インターナル砥石５とドレッシングギア１０とを噛み合わせた状態で電気的な位置制御により係合連行させつつ、同期駆動させることにより、インターナル砥石５の砥石１回転につき１歯のズレが生じるため、インターナル砥石５の全歯をドレスすることができる。
【００３４】
例えば、ドレッシングギアの総歯数（一歯おきに除去した歯の数を含む）が２４で、歯車状砥石の歯数が６１である場合は、図３を参照すれば、歯車状砥石は、奇数番目の歯（Ｗ１，Ｗ３，Ｗ５，…Ｗ６１）の次に、偶数番目の歯（Ｗ２，Ｗ４，Ｗ６…）がドレスされており、全ての歯がドレスされることが分かる。なお、図３において、ドレッシングギアの歯に符号Ｄ１，Ｄ３，Ｄ５，…Ｄ２３を付し（Ｄ２，Ｄ４，Ｄ６…Ｄ２４に相当する歯は除去されている。）、歯車状砥石の歯に符号Ｗ１，Ｗ２，Ｗ３，Ｗ４，…Ｗ６１を付した。
【００３５】
次に、ドレッシングギアの総歯数（除去した歯の数を含む。）が１２で、歯車状砥石の歯数が２７の場合について、ドレッシングギアの歯と歯車状砥石の歯溝との関係を図４に示し、ドレッシングギアの総歯数（除去した歯の数を含む。）が１２で、歯車状砥石の歯数が２３の場合についてドレッシングギアの歯と歯車状砥石の歯溝との関係を図５に示す。なお、図４において、ドレッシングギアの歯に符号Ｄ１，Ｄ３，Ｄ５，…Ｄ１１を付し（Ｄ２，Ｄ４，Ｄ６…Ｄ１２に相当する歯は除去されている。）、歯車状砥石の歯に符号Ｗ１，Ｗ２，Ｗ３，Ｗ４，…Ｗ２７を付し、図５において、ドレッシングギアの歯に符号Ｄ１，Ｄ３，Ｄ５，…Ｄ１１を付し（Ｄ２，Ｄ４，Ｄ６…Ｄ１２に相当する歯は除去されている。）、歯車状砥石の歯に符号Ｗ１，Ｗ２，Ｗ３，Ｗ４，…Ｗ２３を付した。
【００３６】
図４の表では、表の右上でドレッシングギアの歯Ｄ１が歯車状砥石の歯溝Ｗ１に噛み合い、ドレッシングギアが１０回転目で再びドレッシングギアＤ１が歯車状砥石Ｗ１と噛み合っている。したがって、１０回転毎に、一つの噛み合わせパターンを繰り返す。そうすると、ドレッシングギアの歯Ｄ１は、図４を参照すれば、歯車状砥石の歯溝Ｗ１，Ｗ１３，Ｗ２５，Ｗ１０，Ｗ２２，Ｗ７，Ｗ１９，Ｗ４，Ｗ１６とだけ噛み合い、他の歯溝と噛み合わないことになる。
【００３７】
一方、図５の表を参照すれば、ドレッシングギアの歯Ｄ１は、歯溝Ｗ１，Ｗ２，Ｗ３，Ｗ４，Ｗ５，…、Ｗ１３，Ｗ１４，Ｗ１５，Ｗ１６，Ｗ１７…と噛み合い、全ての歯溝と噛み合うことになる。図４の表の場合は、歯車状砥石の歯数が奇数であるが、ドレッシングギアの総歯数によって割り切れる数であり、図５の表の場合は、歯車状砥石の歯数が奇数であって、ドレッシングギアの総歯数で割り切れない数である。
【００３８】
図４の場合のように、歯車状砥石の歯数がドレッシングギアの総歯数（１２）によって割り切れる数（２７）の場合には、最小公倍数（１０８）の歯で噛合いが繰り返し再現され、歯車状砥石の歯Ｗ１はドレッシングギアのＤ１とＤ７との噛合い、歯車状砥石のＷ３はドレッシングギアのＤ３とＤ９との噛合うというように、各々の歯車状砥石の歯のドレス仕上がりに傾向を持つことになる。一方、図５の場合のように、歯車状砥石の歯数がドレッシングギアの総歯数（１２）で割り切れない数（２３）の場合には、永久に噛合いがずれていき、歯車状砥石の歯がより多くのドレッシングギアの歯と噛合うことにより、ドレッシングギアによって歯車状砥石が均一にドレスされる。
【００３９】
上記実施形態においては、歯車状砥石としてインターナル砥石の例について説明したが、エクスターナル砥石の場合は、砥石が外歯である点を除いてインターナル砥石の場合と基本的に同様であるので、詳細な説明を省略する。
【００４０】
次に、歯車研削用の歯車状砥石をドレッシングギアによってドレスする例について、以下に図面を参照して説明する。
【００４１】
図６は、ウィーム状砥石による歯車研削盤の一例を示す斜視図である。歯車研削盤は本来はワークである歯車をウォーム状砥石により研削するための装置であるが、ワークをドレッシングギアに代えることでウォーム状砥石のドレスにも使用される。
【００４２】
歯車研削盤２０は、ウォーム状砥石２１を支持し軸線周りに回転駆動する工具スピンドル駆動モータ２２と、工具スピンドル駆動モータ２２を軸方向（図６のＹ方向）へ移動させるサーボモータ２３と、ウォーム状砥石２１のヘリカル角度を調整する回転（図６のＡ方向の回転）を付与するサーボモータ２４と、ウォーム状砥石２１の砥石ヘッド切り込み量を調整するためにウォーム状砥石２１を図６のＸ方向へ切り込み移動させるためのサーボモータ２５と、ワークスピンドル駆動モータ２６と、心押台２７と、ワークスピンドル駆動モータ２６を左右方向（図６のＺ方向）へ移動させるためのサーボモータ２８とを備えている。
【００４３】
ワークスピンドル駆動モータ２６の主軸２６ａと心押台２７のテールストック２７ａとに、ドレッシングギア２９が挟持される。歯車研削に使用するウォーム状砥石２１とドレッシングギア２９とを噛み合わせ、工具スピンドルとワークスピンドルとをＮＣ制御による電気的な位置制御により同期させて係合連行させることにより、ウォーム状砥石２１の歯がドレスされる。
【００４４】
ドレッシングギア２９は、上記ホーニングの実施形態のドレッシングギアと同様であり、総歯数が偶数であって総歯数の半数の歯を１歯飛びの欠け歯構造のドレッシングギアを用いる。
【００４５】
歯車を研削するためのウォーム状砥石２１の条数は、好ましくは奇数であり、より好ましくはドレッシングギア２９の総歯数によって割り切れない数とすることは、前述したホーニングの事例と同様である。
【００４６】
ウォーム状砥石２１の場合、図７を参照すれば、サーボモータ２３を停止させ工具スピンドルをＹ方向へ移動させない状態で、工具軸Ｂを一回転させると、ワーク軸Ｃは、ＺＢ／ＺＣ分回転する。ここでＺＢは、ウォーム状砥石２１の条数であり、ＺＣはドレッシングギア２９の総歯数（ワークの歯数に相当）である。逆に、同じくサーボモータ２３を停止させた状態でワーク軸Ｃを一回転させると、工具軸Ｂは、ＺＣ／ＺＢ分回転する。
【００４７】
次に、サーボモータ２３を駆動して、ウォーム状砥石２１をＹ方向へ移動させながら一回転させると、ドレッシングギア２９は、（ＺＢ／ＺＣ）±（Ｆ／πｍ）分回転する。ここで、Ｆはウォーム状砥石２１が一回転する間にＹ方向へシフトする量（ｍｍ／回転）であり、ｍはモジュールである。πｍは、ドレッシングギア２９のピッチＰに等しい。±の符号は、ウォーム状砥石２１の移動方向がドレッシングギア２９の回転方向と一致する場合は＋となり、逆行する場合は−となる。
【００４８】
ウォーム状砥石２１をドレスする場合は、ウォーム状砥石２１とドレッシングギア２９とを一定方向に回転させながら、ウォーム状砥石２１をトラバースさせて行う。
【００４９】
ウォーム状砥石において欠け歯構造のドレッシングギア２９を使用する場合、欠け歯分のドレス作業が行われないためにドレスが粗くなる恐れがあるが、ウォーム状砥石２１のＹ方向への移動速度を適切に調整することとにより、所望のドレス精度を得ることができる。例えば、歯が欠けていない同諸元のドレッシングギアでドレスする場合にウォーム状砥石をＹ方向へ移動させる速度より遅く、好適にはその速度の１／２程度の速度で、ウォーム状砥石２１をＹ方向へ移動させれば、欠け歯構造のドレッシングギア２９によるドレスであっても、歯が欠けていない同諸元のドレッシングギアでドレスした場合と同等のドレス精度を得ることが出来る。なお、図７ではウォーム状砥石２１の条数を１条としたが３条としてもよい。
【図面の簡単な説明】
【００５０】
【図１】ギアホーニングマシンを示す一部断面側面図である。
【図２】本発明に係るドレッシングギアの一実施形態をダイヤモンドホイールとともに示す縦断正面図である。
【図３】本発明方法によるドレッシングギアと歯車状砥石との噛み合い状態の一例を示す表である。
【図４】本発明方法によるドレッシングギアと歯車状砥石との噛み合い状態の一例を示す表である。
【図５】本発明方法によるドレッシングギアと歯車状砥石との噛み合い状態の一例を示す表である。
【図６】ウィーム状砥石による歯車研削盤の一例を示す斜視図である。
【図７】本発明方法によるドレッシングギアとウォーム状砥石との噛み合い状態を示す説明である。
【図８】ドレッシングギアとホーニング用の歯車状砥石との噛み合い状態を部分的に示す図である。
【図９】ドレッシングギアと歯車状砥石との噛み合い状態の一例を示す表である。
【図１０】ドレッシングギアをダイヤモンドホイールでツルーイング研削する従来の状態を示す説明図である。
【符号の説明】
【００５１】
１  ギアホーニングマシン
５  インターナル砥石（歯車状砥石）
１０  ドレッシングギア
２０  歯車研削盤
２１  ウォーム状砥石（歯車状砥石）
２９  ドレッシングギア
【図１】
2010142883.tif 000003
【図２】
2010142883.tif 000004
【図３】
2010142883.tif 000005
【図４】
2010142883.tif 000006
【図５】
2010142883.tif 000007
【図６】
2010142883.tif 000008
【図７】
2010142883.tif 000009
【図８】
2010142883.tif 000010
【図９】
2010142883.tif 000011
【図１０】
2010142883.tif 000012